(57)【要約】  管理ファイルをバックアップするためのデータ構造において、記録媒体からのデータの再生を管理する管理ファイルがバックアップ用ディレクトリとして記録領域に格納される。バックアップ用ディレクトリは、各管理ファイルの複製をバックアップファイルとして有する。
2007529083.tif 000002
【特許請求の範囲】
【請求項１】
管理ファイルをバックアップするためのデータ構造を有する記録媒体において、
少なくとも一つの一般管理ファイルと、プレイリストディレクトリと、クリップ情報ディレクトリと、ストリームディレクトリと、バックアップ用ディレクトリとを格納する記録領域を含み、
前記ストリームディレクトリは、データのストリームファイルを少なくとも一つ含み、
前記プレイリストディレクトリは、少なくとも一つのプレイリストファイルを含み、
前記クリップ情報ディレクトリは、少なくとも一つのクリップ情報ファイルを含み、
前記一般管理ファイルは、少なくとも一つのプレイリストファイルの再生を管理するためのものであり、
前記プレイリストファイル及び前記クリップ情報ファイルは、前記ストリームディレクトリ内の前記データの再生を管理するためのものであり、
前記バックアップ用ディレクトリは、一般管理ファイルの各々、前記プレイリストディレクトリ及び前記クリップ情報ディレクトリの複製を含むことを特徴とする記録媒体。
【請求項２】
前記バックアップ用ディレクトリは、前記ストリームディレクトリの複製を含まないことを特徴とする請求項１に記載の記録媒体。
【請求項３】
前記記録領域は、一般管理ファイルとしてインデックスファイル及びムービーオブジェクトファイルを含み、前記インデックスファイルは、前記ストリームディレクトリ内のデータの再生を選択するためのメニューを提供し、前記ムービーオブジェクトファイルは、メニュー選択の少なくとも一つを前記プレイリストディレクトリ内のプレイリストファイルにリンクすることを特徴とする請求項１に記載の記録媒体。
【請求項４】
各プレイリストファイルは、前記ストリームディレクトリ内のデータを再生するための時間間隔を指示するタイム情報を提供し、前記クリップ情報ファイルは、前記タイム情報を前記ストリームディレクトリ内の前記データのストリームアドレス情報にマッピングするためのマップを提供することを特徴とする請求項３に記載の記録媒体。
【請求項５】
前記タイム情報は、プレゼンテーションタイムスタンプとして与えられる開始時間及び終了時間であり、前記マップは、前記ストリームディレクトリ内の前記データを形成するソースパケットのソースパケットナンバーにプレゼンテーションタイムスタンプをマッピングすることを特徴とする請求項４に記載の記録媒体。
【請求項６】
前記ストリームディレクトリ内の前記データは、少なくともビデオデータを含むことを特徴とする請求項４に記載の記録媒体。
【請求項７】
前記記録媒体は、光記録媒体であり、前記少なくとも一つの一般管理ファイル、前記プレイリストディレクトリ及び前記クリップ情報ディレクトリは、前記光ディスク上において前記記録領域の内周部に格納され、前記バックアップ用ディレクトリは前記光ディスク上において前記記録領域の外周部に格納されることを特徴とする請求項４に記載の記録媒体。
【請求項８】
各プレイリストファイルは、前記ストリームディレクトリ内のデータを再生するための時間間隔を指示するタイム情報を提供し、前記クリップ情報ファイルは、前記タイム情報を前記ストリームディレクトリ内の前記データのストリームアドレス情報にマッピングするためのマップを提供することを特徴とする請求項１に記載の記録媒体。
【請求項９】
前記タイム情報は、プレゼンテーションタイムスタンプとして与えられる開始時間及び終了時間であり、前記マップは、前記ストリームディレクトリ内の前記データを形成するソースパケットのソースパケットナンバーにプレゼンテーションタイムスタンプをマッピングすることを特徴とする請求項８に記載の記録媒体。
【請求項１０】
前記ストリームディレクトリ内の前記データは、少なくともビデオデータを含むことを特徴とする請求項１に記載の記録媒体。
【請求項１１】
前記記録媒体は、光記録媒体であり、前記少なくとも一つの一般管理ファイル、前記プレイリストディレクトリ及び前記クリップ情報ディレクトリは、前記光ディスク上において前記記録領域の内周部に格納され、前記バックアップ用ディレクトリは前記光ディスク上において前記記録領域の外周部に格納されることを特徴とする請求項１に記載の記録媒体。
【請求項１２】
各プレイリストファイルは同一ファイル名拡張子を有し、各クリップ情報ファイルは同一ファイル名拡張子を有することを特徴とする請求項１に記載の記録媒体。
【請求項１３】
前記バックアップ用ディレクトリのファイル構造は、そこに複製された前記管理ファイルのファイル構造と同一であることを特徴とする請求項１に記載の記録媒体。
【請求項１４】
管理ファイルをバックアップするためのデータ構造を有する記録媒体において、
少なくとも一つのデータベースファイルを有する少なくとも一つのディレクトリを含むデータベース、及び前記データベースの複製を含むバックアップ用ディレクトリを格納する記録領域を含み、各データベースファイルは、前記記録媒体に記録されたデータの再生を直接的または間接的に管理することを特徴とする記録媒体。
【請求項１５】
前記データベース及び前記データベースの複製は、同一ファイル構造を有することを特徴とする請求項１に記載の記録媒体。
【請求項１６】
前記記録媒体は、光記録媒体であり、前記データベースは前記光ディスク上において前記記録領域の内周部に格納され、前記バックアップ用ディレクトリは前記光ディスク上において前記記録領域の外周部に格納されることを特徴とする請求項１４に記載の記録媒体。
【請求項１７】
前記データベースは、データベースファイルとしてインデックスファイル及びムービーオブジェクトファイルを含み、前記インデックスファイルは、ストリームディレクトリ内のデータの再生を選択するためのメニューを提供し、前記ムービーオブジェクトファイルは、メニュー選択の少なくとも一つをプレイリストファイルにリンクすることを特徴とする請求項１４に記載の記録媒体。
【請求項１８】
前記データベースは、データベースディレクトリとしてプレイリストディレクトリ及びクリップ情報ディレクトリを含み、前記プレイリストディレクトリは、ストリームディレクトリ内のデータを再生するための時間間隔を指示するタイム情報を提供する少なくとも一つのプレイリストファイルを含み、前記クリップ情報ディレクトリは、前記タイム情報を前記ストリームディレクトリ内のデータのストリームアドレス情報にマッピングするためのマップを提供する少なくとも一つのクリップ情報ファイルを含むことを特徴とする請求項１７に記載の記録媒体。
【請求項１９】
前記タイム情報は、プレゼンテーションタイムスタンプとして与えられる開始時間及び終了時間であり、前記マップは、前記ストリームディレクトリ内の前記データを形成するソースパケットのソースパケットナンバーにプレゼンテーションタイムスタンプをマッピングすることを特徴とする請求項１８に記載の記録媒体。
【請求項２０】
前記ストリームディレクトリ内の前記データは、少なくともビデオデータを含むことを特徴とする請求項１８に記載の記録媒体。
【請求項２１】
前記記録領域は、データのストリームファイルを少なくとも一つ有するストリームディレクトリを含み、前記ストリームディレクトリはデータベースの一部でないことを特徴とする請求項１４に記載の記録媒体。
【請求項２２】
管理ファイルをバックアップするためのデータ構造を有する記録媒体において、
記録媒体からのデータの再生を管理する管理ファイルを格納し、バックアップ用ディレクトリを格納する記録領域を含み、前記バックアップ用ディレクトリは各管理ファイルの複製をそれぞれのバックアップファイルとして含むことを特徴とする記録媒体。
【請求項２３】
記録媒体上の管理ファイルをバックアップするためのデータ構造を再生する方法において、
少なくとも一つの一般管理ファイル、プレイリストディレクトリ、及びクリップ情報ディレクトリを再生する第１再生段階であって、
前記プレイリストディレクトリは、少なくとも一つのプレイリストファイルを含み、
前記クリップ情報ディレクトリは、少なくとも一つのクリップ情報ファイルを含み、
前記一般管理ファイルは、少なくとも一つのプレイリストファイルの再生を管理するためのものであり、
前記プレイリストファイル及び前記クリップ情報ファイルは、前記記録媒体上に記録されたストリームディレクトリ内のデータの再生を管理するためのものである第１再生段階と、
前記第１再生段階で再生されたファイルに欠陥があるときに、前記記録媒体上に記録されたバックアップ用ディレクトリから少なくとも一つのバックアップファイルを再生する第２再生段階であって、前記バックアップ用ディレクトリは、各一般管理ファイル、前記プレイリストディレクトリ及び前記クリップ情報ディレクトリの複製を含む第２再生段階と、を備えることを特徴とするデータ構造再生方法。
【請求項２４】
記録媒体上に管理ファイルをバックアップするためのデータ構造を記録する方法において、
記録媒体上に少なくとも一つの一般管理ファイル、プレイリストディレクトリ、クリップ情報ディレクトリ、ストリームディレクトリ、及びバックアップ用ディレクトリを記録する段階を備え、
前記ストリームディレクトリは、データのストリームファイルを少なくとも一つ含み、
前記プレイリストディレクトリは、少なくとも一つのプレイリストファイルを含み、
前記クリップ情報ディレクトリは、少なくとも一つのクリップ情報ファイルを含み、
前記一般管理ファイルは、少なくとも一つのプレイリストファイルの再生を管理するためのものであり、
前記プレイリストファイル及び前記クリップ情報ファイルは、前記ストリームディレクトリ内の前記データの再生を管理するためのものであり、
前記バックアップ用ディレクトリは、一般管理ファイルの各々、前記プレイリストディレクトリ及び前記クリップ情報ディレクトリの複製を含むことを特徴とするデータ構造記録方法。
【請求項２５】
記録媒体上の管理ファイルをバックアップするためのデータ構造を再生するための装置において、
記録媒体上に記録されたデータを再生するために光再生装置を駆動する駆動部と、
少なくとも一つの一般管理ファイル、プレイリストディレクトリ、及びクリップ情報ディレクトリの第１の再生のために前記駆動部を制御する手段であって、
前記プレイリストディレクトリは、少なくとも一つのプレイリストファイルを含み、
前記クリップ情報ディレクトリは、少なくとも一つのクリップ情報ファイルを含み、
前記一般管理ファイルは、少なくとも一つのプレイリストファイルの再生を管理するためのものであり、
前記プレイリストファイル及び前記クリップ情報ファイルは、前記記録媒体上に記録されたストリームディレクトリ内のデータの再生を管理するためのものである第１の再生のために前記駆動部を制御する手段と、
前記第１の再生で再生されたファイルに欠陥があるときに、前記記録媒体上に記録されたバックアップ用ディレクトリからの少なくとも一つのバックアップファイルの第２の再生のために前記駆動部を制御する手段であって、
前記バックアップ用ディレクトリは、各一般管理ファイル、前記プレイリストディレクトリ及び前記クリップ情報ディレクトリの複製を含む第２の再生のために前記駆動部を制御する手段と、を備えることを特徴とするデータ構造再生装置。
【請求項２６】
記録媒体上に管理ファイルをバックアップするためのデータ構造を記録するための装置において、
記録媒体上にデータを記録するために光記録装置を駆動する駆動部と、
前記記録媒体上に少なくとも一つの一般管理情報ファイル、プレイリストディレクトリ、クリップ情報ディレクトリ、ストリームディレクトリ及びバックアップ用ディレクトリを記録するために前記駆動部を制御する制御部と、を備え、
前記ストリームディレクトリは、データのストリームファイルを少なくとも一つ含み、
前記プレイリストディレクトリは、少なくとも一つのプレイリストファイルを含み、
前記クリップ情報ディレクトリは、少なくとも一つのクリップ情報ファイルを含み、
前記一般管理ファイルは少なくとも一つのプレイリストファイルの再生を管理するためのものであり、
前記プレイリストファイル及び前記クリップ情報ファイルは、前記ストリームディレクトリ内の前記データの再生を管理するためのものであり、
前記バックアップ用ディレクトリは、一般管理ファイルの各々、前記プレイリストディレクトリ及び前記クリップ情報ディレクトリの複製を含むことを特徴とするデータ構造記録装置。
【発明の詳細な説明】
【技術分野】
【０００１】
本発明は、読み取り専用ブルーレイディスク(ＢＤ−ＲＯＭ)のような高密度記録媒体に関する。
【背景技術】
【０００２】
光記録媒体として光ディスクが広く使われている。最近では、これら光ディスクのなかでも、大容量の高鮮明映像及びオーディオデータを記録保存するブルーレイディスク(Blu-ray Disc、以下「ＢＤ」ともいう。)のような新しい高密度光記録媒体(ＨＤ−ＤＶＤ)が開発されている。
【０００３】
現在、次世代ＨＤ−ＤＶＤ技術である国際規格技術仕様のブルーレイディスク（ＢＤ）は、既存ＤＶＤをはるかに凌駕するデータの量を保存できる次世代光記録ソリューションとして制定されている。
【０００４】
これと関連し、ブルーレイディスク（ＢＤ）規格のための光再生装置の開発が始まっているが、ブルーレイディスク（ＢＤ）規格がまだ完成しておらず、このため、完全な光再生装置の開発には難題がある。
【０００５】
特に、ブルーレイディスク（ＢＤ）からデータを效果的に再生するために、管理ファイルのような情報のためのデータ構造の規格化したファイルが要求される。
【発明の開示】
【発明が解決しようとする課題】
【０００６】
しかしながら、既存のブルーレイディスク（ＢＤ）規格では、ファイル情報の構造及び使用についての確立した規格がまだ完成しておらず、ブルーレイディスクＢＤ光再生装置の開発に制限が多い。
【課題を解決するための手段】
【０００７】
本発明による記録媒体は、管理ファイルをバックアップするためのデータ構造を含む。
【０００８】
一実施例において、記録媒体は、記録媒体からのデータの再生を管理する管理ファイルとバックアップ用ディレクトリとを格納する。バックアップ用ディレクトリは、それぞれのバックアップファイルとして各管理ファイルの複製を含む。
【０００９】
他の実施例において、記録媒体は、データベース及びバックアップ用ディレクトリを格納する。データベースは、少なくとも一つのデータベースファイルを有する少なくとも一つのディレクトリを含む。それぞれのデータベースファイルは、記録媒体に記録されたデータの再生を直接的または間接的に管理するためのものである。バックアップ用ディレクトリは、データベースの複製を含む。
【００１０】
例えば、データベースは、一般管理ファイルとしてインデックスファイル及びムービーオブジェクトファイルを含むことができる。インデックスファイルは、ストリームディレクトリ内のデータの再生を選択するためのメニューを提供し、ムービーオブジェクトファイルは、プレイリストファイルに少なくとも一つのメニュー選択をリンクする。
【００１１】
他の例として、データベースは、プレイリストディレクトリとクリップ情報ディレクトリを含むことができる。プレイリストディレクトリは、ストリームディレクトリ内のデータを再生するための時間間隔を指示するタイム情報を提供する少なくとも一つのプレイリストファイルを含み、クリップ情報ディレクトリは、タイム情報をストリームディレクトリ内のデータのストリームアドレス情報にマッピングするためのマップを提供する少なくとも一つのクリップ情報ファイルを含む。
【００１２】
一実施例において、データベース及びバックアップ用ディレクトリのデータベースの複製は、同じファイル構造を有する。
【００１３】
他の実施例において、記録媒体は光ディスクであり、データベースはディスクの内周部に格納され、バックアップ用ディレクトリはディスクの外周部に格納される。
【００１４】
他の実施例において、記録媒体は、少なくとも一つの一般管理ファイルと、プレイリストディレクトリと、クリップ情報ディレクトリと、ストリームディレクトリと、バックアップ用ディレクトリとを格納する。ストリームディレクトリは、データのストリームファイルを少なくとも一つ含む。プレイリストディレクトリは、少なくとも一つのプレイリストファイルを含み、クリップ情報ディレクトリは、少なくとも一つのクリップ情報ファイルを含む。一般管理ファイルは、少なくとも一つのプレイリストファイルの再生を管理するためのものであり、プレイリストファイル及びクリップ情報ファイルは、ストリームディレクトリ内の一つのストリームファイルの少なくとも一部の再生を管理するためのものである。バックアップ用ディレクトリは、それぞれの一般管理ファイル、プレイリストディレクトリ及びクリップ情報ディレクトリの複製を含む。
【００１５】
少なくとも一つの実施例において、バックアップ用ディレクトリは、ストリームディレクトリの複製を含まない。
【００１６】
一実施例において、一般管理ファイルとしてインデックスファイル及びムービーオブジェクトファイルを含むことができる。インデックスファイルは、ストリームディレクトリ内のデータの再生を選択するためのメニューを提供し、ムービーオブジェクトファイルは、プレイリストファイルに少なくとも一つのメニュー選択をリンクする。
【００１７】
他の実施例において、プレイリストファイルは、ストリームディレクトリ内のデータを再生するための時間間隔を指示するタイム情報を提供し、クリップ情報ディレクトリは、タイム情報をストリームディレクトリ内のデータのストリームアドレス情報にマッピングするためのマップを提供する。
【００１８】
他の実施例において、記録媒体は光ディスクであり、管理ファイルはディスクの内周部に格納され、バックアップ用ディレクトリはディスクの外周部に格納される。
【００１９】
本発明は、本発明によるデータ構造を再生及び記録するための装置と方法をさらに提供する。
【発明を実施するための最良の形態】
【００２０】
以下、添付図面を参照して本発明の実施例について詳細に説明する。本発明に使用された用語は、可能な限り現在公知の用語から選定したが、一部は出願人によって任意に選定されたものもあり、その意味は、本発明の詳細な説明の関連部分において説明される。したがって、本発明は、本明細書で提供された用語の意味として理解すべきである。
【００２１】
したがって、本発明において「ストリームファイル」は、記録媒体内に記録された実際のユーザーデータを有するファイルを意味し、その一例について図１を参照して詳細に説明する。
【００２２】
また、本発明において「バックアップファイル（back-up file）」は、管理ファイルのデータを格納するためのファイルを意味し、その一例については、図３を参照して詳細に説明する。
【００２３】
図１は、本発明の例示的な実施例による高密度光記録媒体においてデータを管理するためのファイルまたはデータ構造を示す図である。本発明の本実施例および他の実施例では、高密度光記録媒体として、光ディスク、特にＢＤ−ＲＯＭを使用する。図示のように、本発明の一実施例によるＢＤ−ＲＯＭのファイル構造において、一つのルートディレクトリ（root directory）の下には少なくとも一つのＢＤＭＶディレクトリが存在する。ＢＤＭＶディレクトリは、ユーザーとの相互作用性（interactivity）を確保するための一般ファイル（上位ファイル）として、以下説明されるインデックスファイルｉｎｄｅｘ.ｂｄｍｖとオブジェクトファイルＭｏｖｉｅＯｂｊｅｃｔ．ｂｄｍｖとを含む。また、ＢＤＭＶディレクトリは、ストリームディレクトリＳＴＲＥＡＭ、プレイリストディレクトリＰＬＡＹＬＩＳＴ及びクリップインフォディレクトリＣＬＩＰＩＮＦを含む。
【００２４】
ストリームディレクトリＳＴＲＥＡＭは、ディスクに特定フォーマットで記録されるビデオ及びオーディオストリーム（以下、「ＡＶストリーム」）に対するファイルを含む。「ＡＶストリーム」は、公知のＭＰＥＧ２方式のトランスポート（Transport）パケットとして記録され、ＡＶストリームファイル（例えば、０１０００．ｍ２ｔｓ，０２０００．ｍ２ｔｓ）は、「＊．ｍ２ｔｓ」のファイル名拡張子を有する。しかしながら、使用例によってはＭＰＥＧ２フォーマットで記録されないこともある。この場合、該当フォーマットに適合するファイル名拡張子が使用されることができる。例えば、ＡＶストリームファイルがテキストデータフォーマットで記録された場合、ファイル拡張名は「＊．ｔｘｔ」でありうる。ＡＶストリームファイルは、「クリップストリームファイル（clip stream file）」とも呼ばれる。
【００２５】
クリップインフォ（または、クリップ情報）ディレクトリＣＬＩＰＩＮＦは、それぞれＡＶストリームファイルと一対一対応するクリップ情報ファイルまたはクリップインフォファイル（＊．ｃｌｐｉ）を含む。クリップインフォファイル（＊．ｃｌｐｉ）は、対応するストリームファイルの属性情報及びタイム情報（timing information）を有し、管理ファイルの役割を担う。より具体的には、クリップインフォファイル中の情報は、該当ＡＶストリームファイルにおいてソースパケットのソースパケットナンバー（ＳＰＮ：Source Packet Number）に、プレゼンテーションタイムスタンプ（ＰＴＳ：Presentation Time Stamp）をマッピングできるマッピング情報を含む。このマップをエントリーポイントマップ（Entry Point Map）または「ＥＰ＿ｍａｐ」という。ストリームファイルと、これに対応するクリップインフォファイルを総称して「クリップ（clip）」ともいう。したがって、クリップインフォディレクトリＣＬＩＰＩＮＦ内のファイル「０１０００．ｃｌｐｉ」は、ストリームディレクトリＳＴＲＥＡＭ内のファイル「０１０００．ｍ２ｔｓ」に対する属性情報及びタイム情報を有し、ファイル「０１０００．ｃｌｐｉ」と「０１０００．ｍ２ｔｓ」が一つのクリップを構成する。
【００２６】
プレイリストディレクトリＰＬＡＹＬＩＳＴは、プレイリストファイル＊．ｍｐｌｓを含み、それぞれのプレイリストファイルは、特定クリップの再生時間（playing interval）を指定するプレイアイテムＰｌａｙＩｔｅｍを少なくとも一つ有する。プレイアイテムＰｌａｙＩｔｅｍは、再生を希望する特定クリップの再生開始時刻Ｉｎ−Ｔｉｍｅと再生終了時刻Ｏｕｔ−Ｔｉｍｅに関するタイム情報を含み、Ｃｌｉｐ＿Ｉｎｆｏｒｍａｔｉｏｎ＿Ｆｉｌｅ＿ｎａｍｅフィールドにクリップ情報ファイル名を提供することによって、クリップを識別する。開始時刻Ｉｎ−Ｔｉｍｅと終了時刻Ｏｕｔ−Ｔｉｍｅ情報のＰＴＳ情報を用いることによって、識別されたクリップインフォファイルのＥＰマップは、プレイアイテムの再生によってクリップが再生されるように該当ストリームファイル（＊．ｍ２ｔｓ）の特定ストリームアドレスまたは位置（例えば、ＳＰＮ）がサーチされて得られるようにする。
【００２７】
プレイリストファイル＊．ｍｐｌｓは、少なくとも一つのプレイアイテムＰｌａｙＩｔｅｍを提供することによって、希望するクリップを再生するための基本管理ファイルとして作用する。また、プレイリストファイル＊．ｍｐｌｓは、プレイアイテムＰｌａｙＩｔｅｍと同期したり非同期する方式で再生されることができる、例えば補充データの再生を管理するためのサブプレイアイテムＳｕｂＰｌａｙＩｔｅｍを提供できる。ＢＤディレクトリＢＤＭＶには、ユーザーとの相互作用性（interactivity）を確保するための一般ファイルとして、インデックスファイルｉｎｄｅｘ.ｂｄｍｖとオブジェクトファイルＭｏｖｉｅＯｂｊｅｃｔ．ｂｄｍｖがある。インデックスファイルｉｎｄｅｘ.ｂｄｍｖは、ユーザーが選択できるメニュー情報とタイトル情報を提供するインデックステーブルを有する。ＭｏｖｉｅＯｂｊｅｃｔ．ｂｄｍｖは、例えばプレイリストを実行するためのナビゲーション命令を提供し、インデックステーブルにおいてなされた選択から呼び出されることができる。
【００２８】
上述の如く、ストリームディレクトリＳＴＲＥＡＭ内のファイルを除くその他のファイルは、例えば、ストリームディレクトリＳＴＲＥＡＭからファイルまたはファイルの一部を再生するための管理ファイルである。後述するが、これらファイル（例えば、ｉｎｄｅｘ．ｂｄｍｖファイル、ＭｏｖｉｅＯｂｊｅｃｔ．ｂｄｍｖファイル、プレイリストファイル、クリップ情報ファイル）をデータベースファイルまたはナビゲーションファイルといい、ｉｎｄｅｘ．ｂｄｍｖファイル、ＭｏｖｉｅＯｂｊｅｃｔ．ｂｄｍｖファイル、プレイリストディレクトリＰＬＡＹＬＩＳＴ及びクリップインフォディレクトリ（ＣＬＩＰＩＮＯ）を総称してデータベースまたはナビゲーションデータベースという。
【００２９】
仮に、管理ファイルに欠陥（defect）が生じると、情報（例えば、ＡＶストリームデータ）は再生できなくなり、欠陥が深刻な場合には、全体ディスクから情報が再生できなくなる場合もありうる。そこで、図１に示すように、本発明は、管理ファイルを格納するためのバックアップ用ディレクトリまたはファイル（back-up directory or files）を構成する。以下、バックアップファイルのためのデータ構造及びバックアップファイル構成方法の多様な実施例について詳細に説明する。まず、これらのデータ構造を格納する光ディスクのためのフォーマットの例示的な実施例を、図２Ａ及び図２Ｂを参照して説明する。
【００３０】
図２Ａにおいて、ディスクボリュームは、ディスクの内周からディスクの外周の順に、ファイルシステム情報領域（File System Information Area）と、管理ファイル領域と、ＡＶストリーム領域（AV stream Area）と、管理ファイルバックアップ領域（Management File Back-Up Area）とで構成されている。ファイルシステム情報領域は、図９Ａ及び図９Ｂを参照して後述するが、全体ディスクを管理するためのシステム情報を格納する。管理ファイル領域（Management File Area）は、インデックスファイルｉｎｄｅｘ.ｂｄｍｖ及びオブジェクトファイルＭｏｖｉｅＯｂｊｅｃｔ．ｂｄｍｖを記録するための一般ファイル領域（General Files area）と、プレイリストディレクトリＰＬＡＹＬＩＳＴ及びクリップインフォディレクトリＣＬＩＰＩＮＦを記録するためのプレイリスト及びクリップ情報領域（PlayList & ClipInformation area）とを含む。したがって、管理ファイル領域は、データベース領域（Database Area）とも称することができる。ＡＶストリーム領域（AV stream Area）は、オーディオ／ビデオ／グラフィックデータを記録するためにある。
【００３１】
既存の管理ファイルと別に割り当てられる管理ファイルバックアップ領域（「Management Files Back-up Area」）は、バックアップファイル及び／またはディレクトリを記録するためのものである。本実施例において、ファイルバックアップ領域は、ディスクの外周部に配置される。
【００３２】
図２Ｂは、ディスクフォーマットの他の実施例を示す図である。図示のように、図２Ｂの実施例は、管理ファイルバックアップ領域がディスク内周部に構成された以外は、図２Ａと同様に構成される。より具体的には、管理ファイルバックアップ領域は、管理ファイル領域に後続する。しかしながら、本実施例の場合にも、バックアップファイルは、ディスク上において管理ファイルと同一の記録領域に記録されない。したがって、管理ファイルデータを格納するための管理ファイルデータ及びバックアップファイルデータは、一つのＥＣＣブロックでない別のＥＣＣブロックに記録される。これによって、特定管理ファイルのＥＣＣブロックに欠陥が生じる場合、バックアップファイルを用いた正常再生が可能になる。
【００３３】
これから分かるように、バックアップファイルは、管理ファイルをバックアップするための用途にのみ使用され、全ての管理ファイルについて適用できる。すなわち、バックアップファイルは、特定管理ファイルに限定されず、光ディスク上の全ての管理ファイルについて形成されることができる。バックアップファイルは、元来の管理ファイル領域と物理的に区分された領域に記録される。特に、同一ＥＣＣブロックには、管理ファイルのデータとバックアップファイルのデータが同時に記録されない。
【００３４】
以下、図３乃至図７を参照して、バックアップファイルを形成する種々の方法と、バックアップファイルのための種々のデータ構造について説明する。
【００３５】
図３は、本発明の第１実施例によるバックアップファイルのデータ構造またはファイルを示す図である。図示のように、本実施例において、対応する管理ファイルの複製であるそれぞれのバックアップファイルは、対応する管理ファイルとして同じディレクトリに格納される。これと関連して、該当バックアップファイル名を提供すべく、既存管理ファイルの拡張子に「＿ｂｕｐ」を追加した。例えば、インデックスファイルｉｎｄｅｘ.ｂｄｍｖのバックアップファイルは、「ｉｎｄｅｘ．ｂｄｍｖ＿ｂｕｐ」となる。ただし、このような命名方法は一例に過ぎず、他の命名方法も可能であることは自明である。
【００３６】
上述したように、バックアップファイルは、別のバックアップファイル用ディレクトリを形成せず、それぞれの管理ファイルの位置しているディレクトリ内に形成される。したがって、インデックスファイルｉｎｄｅｘ.ｂｄｍｖとオブジェクトファイルＭｏｖｉｅＯｂｊｅｃｔ．ｂｄｍｖは、ＢＤＭＶディレクトリ内の管理ファイルであり、バックアップファイルである「ｉｎｄｅｘ．ｂｄｍｖ＿ｂｕｐ」と「ＭｏｖｉｅＯｂｊｅｃｔ．ｂｄｍｖ＿ｂｕｐ」が、同一ＢＤＭＶディレクトリ内に形成される。同様に、プレイリストファイル「＊．ｍｐｌｓ」のバックアップファイル「＊．ｍｐｌｓ＿ｂｕｐ」も同一プレイリストディレクトリＰＬＡＹＬＩＳＴ内に形成され、クリップインフォファイル「＊．ｃｌｐｉ」のバックアップファイル「＊．ｃｌｐｉ＿ｂｕｐ」も同一クリップインフォディレクトリＣＬＩＰＩＮＦに形成される。また、ストリームディレクトリＳＴＲＥＡＭ内のストリームファイル「＊．ｍ２ｔｓ」については、管理ファイルでないがためにバックアップファイルが形成されない。
【００３７】
参考のため、バックアップファイル＊．＊＿ｂｕｐが対応する管理ファイルまたはデータベースファイルと同一ディレクトリに形成されても、これは単にファイル構造の関係であり、バックアップファイルを格納するディスク領域は、図２Ａ及び図２Ｂに示す通りである。
【００３８】
したがって、第１実施例によれば、（例えば、図１０に示すような）光記録再生装置は、管理ファイルの欠陥有無によらず同一ディレクトリに存在する管理ファイルとバックアップファイルを共に再生することによって、ディスクをより安定的に再生する。
【００３９】
図４は、本発明の第２実施例によるバックアップファイルのデータ構造またはファイルを示す図である。図示のように、上位管理ファイル、すなわちｉｎｄｅｘ．ｂｄｍｖ及びＭｏｖｉｅＯｂｊｅｃｔ．ｂｄｍｖは同一ＢＤＭＶディレクトリに形成される。しかし、その他管理ファイルに対するバックアップファイルは、別のそれぞれのバックアップファイル用ディレクトリに記録される。別のバックアップファイルディレクトリはそれぞれ、バックアッププレイリストディレクトリＰＬＡＹＬＩＳＴ＿ＢＵＰと、バックアップクリップインフォディレクトリＣＬＩＰＩＮＦ＿ＢＵＰと称される。
【００４０】
すなわち、上位管理ファイルｉｎｄｅｘ．ｂｄｍｖ，ＭｏｖｉｅＯｂｊｅｃｔ．ｂｄｍｖは、別のバックアップファイル用ディレクトリを形成しないため、ＢＤＭＶディレクトリ内のインデックスファイルｉｎｄｅｘ.ｂｄｍｖとオブジェクトファイルＭｏｖｉｅＯｂｊｅｃｔ．ｂｄｍｖに対するバックアップファイルとして「ｉｎｄｅｘ．ｂｄｍｖ＿ｂｕｐ」と「ＭｏｖｉｅＯｂｊｅｃｔ．ｂｄｍｖ＿ｂｕｐ」がＢＤＭＶディレクトリに形成される。一方、プレイリストファイル「＊．ｍｐｌｓ」とクリップインフォファイル「＊．ｃｌｐｉ」に対するバックアップファイルは、別のバックアップ用ディレクトリである「ＰＬＡＹＬＩＳＴ＿ＢＵＰ」と「ＣＬＩＰＩＮＦ＿ＢＵＰ」に記録される。これと関連して、ディレクトリ自体がバックアップ用ディレクトリとして適切に識別されるので、バックアップ用ディレクトリ内のバックアップファイルは、内部のファイルをバックアップファイルとして識別するために「＿ｂｕｐ」または別の命名方法を含んでも含まなくても良い。
【００４１】
したがって、本発明の第２実施例によれば、光記録再生装置（例えば、図１０の装置）は、上位管理ファイルの欠陥有無によらずＢＤＭＶディレクトリ内に存在する上位管理ファイル（例えば、ｉｎｄｅｘ，ＭｏｖｉｅＯｂｊｅｃｔ）及び関連バックアップファイルを再生する。しかしながら、光記録再生装置は、管理ファイルディレクトリに欠陥がない場合、その関連バックアップファイルを再生しなく、それ自身のディレクトリ内の管理ファイル（例えば、プレイリストファイル＊．ｍｐｌｓとクリップインフォファイル＊．ｃｌｐｉ）を再生する。管理ファイルディレクトリ（例えば、ＰＬＡＹＬＩＳＴ＿ＢＵＰ、ＣＬＩＰＩＮＦ）に欠陥が発生する場合、関連バックアップ用ディレクトリ（例えば、ＰＬＡＹＬＩＳＴ＿ＢＵＰ、ＣＬＩＰＩＮＦ＿ＢＵＰ）に記録されたバックアップファイルが使用される。
【００４２】
図５は、本発明の第３実施例によるバックアップファイルのデータ構造またはファイルを示す図である。図５の実施例は、別の「ＢＤＭＶ＿Ｔｏｐ＿ＢＵＰ」ディレクトリがＢＤＭＶディレクトリに存在し、インデックスファイルｉｎｄｅｘ.ｂｄｍｖとオブジェクトファイルＭｏｖｉｅＯｂｊｅｃｔ．ｂｄｍｖに対するバックアップファイルが直接ＢＤＭＶディレクトリに記録される代わり、「ＢＤＭＶ＿Ｔｏｐ＿ＢＵＰ」ディレクトリに記録されるという点を除けば、図４に示す実施例と同様である。これと関連して、ディレクトリ自体がバックアップ用ディレクトリとして適切に識別されるので、バックアップ用ディレクトリ内のバックアップファイルは、内部のファイルをバックアップファイルとして識別するために「＿ｂｕｐ」または別の命名方法を含んでも含まなくても良い。
【００４３】
したがって、本発明の第３実施例によれば、光記録再生装置（例えば、図１０の装置）は、既存ＢＤＭＶディレクトリ、プレイリストディレクトリＰＬＡＹＬＩＳＴ及びクリップインフォディレクトリＣＬＩＰＩＮＦ内の管理ファイルを使用するが、これらディレクトリに欠陥が発生すると、以降関連バックアップ用ディレクトリとして「ＰＬＡＹＬＩＳＴ＿ＢＵＰ」、「ＣＬＩＰＩＮＦ＿ＢＵＰ」、「ＢＤＭＶ＿Ｔｏｐ＿ＢＵＰ」が使用される。例えば、既存インデックスファイルｉｎｄｅｘ.ｂｄｍｖに欠陥がある場合、ＢＤＭＶ＿Ｔｏｐ＿ＢＵＰバックアップ用ディレクトリが、ＢＤＭＶ＿Ｔｏｐ＿ＢＵＰディレクトリ内のバックアップインデックスファイルを用いてそのディスクを再生するために活用される。
【００４４】
図６は、本発明の第４実施例によるバックアップファイルのデータ構造またはファイルを示す図である。本実施例において、ＢＤＭＶディレクトリには、バックアップ用ディレクトリ 「ＢＡＣＫ＿ＵＰ」が形成される。バックアップ用ディレクトリＢＡＣＫ＿ＵＰは、それぞれの管理ファイルに対するバックアップファイルを含む。
【００４５】
すなわち、本明細書中でデータベースと称される、その内部に管理ファイルのみを有する既存ＢＤＭＶディレクトリの一部、すなわちストリームディレクトリＳＴＲＥＡＭ以外の部分がバックアップ用ディレクトリＢＡＣＫ＿ＵＰに複製される。したがって、バックアップ用ディレクトリＢＡＣＫ＿ＵＰ（または、バックアップ用データベースディレクトリ）は、インデックスファイルｉｎｄｅｘ.ｂｄｍｖと、オブジェクトファイルＭｏｖｉｅＯｂｊｅｃｔ．ｂｄｍｖと、プレイリストファイル「＊．ｍｐｌｓ」と、クリップインフォファイル「＊．ｃｌｐｉ」のようなデータベースファイルを含む。図６に示すように、プレイリストファイル及びクリップインフォファイルは、バックアップ用ディレクトリＢＡＣＫ＿ＵＰにおいてそれぞれのプレイリストディレクトリＰＬＡＹＬＩＳＴとクリップインフォディレクトリＣＬＩＰＩＮＦに記録される。このような方式で、バックアップ用ディレクトリＢＡＣＫ＿ＵＰはデータベースを複製する。
【００４６】
したがって、本発明の第４実施例によれば、光記録再生装置（例えば、図１０の装置）は、既存ＢＤＭＶディレクトリ内の各管理ファイルのいずれか一つでも欠陥が発生すると、ＢＤＭＶディレクトリの代わりにバックアップ用ディレクトリＢＡＣＫ＿ＵＰ内のバックアップ管理ファイルを用いてディスクを再生させる。
【００４７】
図７は、本発明の第４実施例によるバックアップファイルのデータ構造またはファイルを示す図である。本実施例は、バックアップ用ディレクトリがＢＤＭＶ＿ＢＵＰと呼ばれ、ＢＤＭＶディレクトリでなくルート（root）ディレクトリ内に直接格納されるという点を除けば、図６の実施例と同一である。
【００４８】
すなわち、ＢＤ−ＲＯＭのルートディレクトリｒｏｏｔは、二つの下位ディレクトリを備え、一つは既存管理ファイル及びストリームファイル＊．ｍ２ｔｓを有するＢＤＭＶディレクトリであり、もう一つはＢＤＭＶディレクトリ内の管理ファイルのみをバックアップするＢＤＭＶ＿ＢＵＰディレクトリである。
【００４９】
これによれば、ＢＤＭＶ＿ＢＵＰディレクトリは、上位管理ファイルのバックアップとして記録されたインデックスファイルｉｎｄｅｘ.ｂｄｍｖとオブジェクトファイルＭｏｖｉｅＯｂｊｅｃｔ．ｂｄｍｖを有し、また、下位ディレクトリとしてプレイリストディレクトリＰＬＡＹＬＩＳＴ及びクリップインフォディレクトリＣＬＩＰＩＮＦを有する。これら下位ディレクトリには、バックアッププレイリストファイル＊．ｍｐｌｓ及びクリップインフォファイル＊．ｃｌｐｉが記録される。
【００５０】
したがって、本発明の第５実施例によれば、光記録再生装置（例えば、図１０の装置）は、ルートディレクトリ下の既存ＢＤＭＶディレクトリの管理ファイルを用いてディスク再生に活用する。しかしながら、ＢＤＭＶディレクトリ内の管理ファイルのいずれか一つにも欠陥が発生すると、ディスクはルートディレクトリ下のＤＢＭＶ＿ＢＵＰディレクトリ内のバックアップ管理ファイルを用いて再生される。
【００５１】
図８は、本発明の第６実施例によるバックアップファイルのデータ構造またはファイルを示す図である。以前の実施例は、光記録媒体をＢＤ−ＲＯＭとして説明したが、本実施例は、光記録媒体をＢＤ−ＲＥとして説明する。
【００５２】
図示のように、ＢＤ−ＲＥのルートディレクトリは、複数のＢＤＡＶディレクトリを有することができ、それぞれのＢＤＡＶディレクトリは、上位管理ファイルとして「ｉｎｆｏ．ｂｄａｖ」、「ｍｅｎｕ．＊」、「ｍａｒｋ．＊」ファイルを有する。また、それぞれのＢＤＡＶディレクトリは、ストリームディレクトリＳＴＲＥＡＭ、プレイリストディレクトリＰＬＡＹＬＩＳＴ及びクリップインフォディレクトリＣＬＩＰＩＮＦを含み、プレイリストディレクトリとクリップインフォディレクトリＣＬＩＰＩＮＦは、ストリームディレクトリＳＴＲＥＡＭ内のストリームファイルを管理するための管理ファイルを記録するためのものである。
【００５３】
したがって、以前の実施例は、例示的な記録媒体をＢＤ−ＲＯＭとしたが、これら実施例もＢＤ−ＲＥのような他の光記録媒体にも適用可能であることは自明である。図８は、こういう適用例を概略的に示す。さらに、本発明のバックアップファイルを有するファイル構造は、例えば追記型ブルーレイディスク（ＢＤ−ＷＯ）にも適用可能である。
【００５４】
図９Ａ及び図９Ｂは、本発明によるファイル構造を有する管理ファイル及びバックアップファイルを管理するためのファイルシステム情報（File system Information）を記録し再生するためのデータ構造及びその方法を示す図である。
【００５５】
図９Ａは、本発明の実施例によるファイルシステム情報を説明するためにツリー（tree）形態の第３実施例（図５）によるファイル構造を示している。図９Ａにおいて、円はディレクトリ（Directory）を意味し、長方形はディレクトリ内のファイルを意味し、陰影のある円と長方形はバックアップ用ディレクトリまたはバックアップファイルを意味し、陰影のない円と長方形は非バックアップ用ディレクトリ及び非バックアップファイルを意味し、ディレクトリとファイルには識別のために一連の番号が与えられている。
【００５６】
したがって、一連の番号「８」は、「ＰＬＡＹＬＩＳＴ＿ＢＵＰ」ディレクトリであり、一連の番号５のＰＬＡＹＬＩＳＴディレクトリに対するバックアップ用ディレクトリであることを意味する。一連の番号「９」は、ＣＬＩＰＩＮＦ＿ＢＵＰディレクトリであり、一連の番号６のＣＬＩＰＩＮＦディレクトリに対するバックアップ用ディレクトリであることを意味する。一連の番号１０は、ＢＤＭＶ＿Ｔｏｐ＿ＢＵＰディレクトリであり、それぞれ一連の番号３及び４のインデックスファイルｉｎｄｅｘ.ｂｄｍｖとオブジェクトファイルＭｏｖｉｅＯｂｊｅｃｔ．ｂｄｍｖのバックアップファイルを格納するために別に生成されたバックアップ用ディレクトリを意味する。
【００５７】
バックアップ用ディレクトリは、バックアップファイルを有する。例えば、ＰＬＡＹＬＩＳＴ＿ＢＵＰディレクトリ８は、プレイリストファイル＊．ｍｐｌｓ  １１，１２，１３のバックアップファイル１８，１９，２０を有し、ＣＬＩＰＩＮＦ＿ＢＵＰディレクトリ９は、クリップインフォファイル＊．ｃｌｐｉ  １４，１５のバックアップファイル２１，２２を有し、「ＢＤＭＶ＿Ｔｏｐ＿ＢＵＰ」ディレクトリ１０は、インデックスファイルｉｎｄｅｘ.ｂｄｍｖ  ３とオブジェクトファイルＭｏｖｉｅＯｂｊｅｃｔ．ｂｄｍｖ  ４のバックアップファイル２３，２４を有する。
【００５８】
図９Ｂは、図９Ａのファイル構造におけるそれぞれのファイルのファイル情報を記録するファイルテーブルを示すもので、このファイルテーブルは、図２Ａまたは図２Ｂに示すファイルシステム情報領域（Filesystem Information Area）に記録されたファイルシステム情報の一部である。ディスクがローディングされると、光記録再生装置（例えば、図１０の装置）は、ファイルシステム情報領域（Filesystem Information Area）内のファイルシステム情報を読み出すことによって、そのディスクに記録されたファイルの種類と記録位置を読み出す。図９Ｂに示すファイルテーブルは、ファイルテーブルヘッダ情報（File Table Header）及び一連に配列されたそれぞれのファイルに対するファイル情報（「ファイルレコード（File Record）」と称する）を有する。それぞれのファイルレコードは、該当ファイルの名前（ファイル名）に対する情報（ファイル名レコード番号（File name record number））と、ファイル構造上のリンク情報として、親のファイルレコードのファイル名レコード番号を提供する上位リンク（「親リンク（Parent Link）」と称する）情報と、該当ファイルの種類を指示するファイルレコードタイプ及びファイル属性を指示する属性情報と、を有する。この他にも、ファイルレコードは、規格に定義され、そこに記録されることができる多様な種類の情報を有してもよいことは自明である。本説明において、ファイル名レコード番号は、説明の目的上、図９Ａに使用された一連の識別番号と同一である。
【００５９】
特に、ファイルレコードタイプは、ファイルを４種類に仕分けする。「ＦｉｌｅＲｅｃｏｒｄＴｙｐｅ＝１」の場合は原本ディレクトリであり、「ＦｉｌｅＲｅｃｏｒｄＴｙｐｅ＝２」の場合は原本ファイルであり、「ＦｉｌｅＲｅｃｏｒｄＴｙｐｅ＝３」の場合はバックアップ用ディレクトリであり、「ＦｉｌｅＲｅｃｏｒｄＴｙｐｅ＝４」の場合はバックアップファイルである。これと関連して、「ＦｉｌｅＲｅｃｏｒｄＴｙｐｅ＝０」の場合は、現在使用されないファイルレコード、すなわちファイルテーブル内のリザーブ（reserved）領域である。
【００６０】
したがって、光記録再生装置は、ファイルレコードタイプ情報を読み出すことによって、該当ファイルの種類を識別できる。
【００６１】
属性情報（Ａｔｔｒｉｂｕｔｅ）は、該当ファイルの多様な属性に対する情報である。例えば、該当ファイルの隠し機能を行う「Ｈｉｄｄｅｎ」属性と、該当ファイル内に読み取り禁止機能を行う「Ｒｅａｄｉｎｈｉｂｉｔ」属性が定義できる。それぞれの属性は１ビットのフラグ（flag）で表示される。ファイルが属性を有する場合、フラグは「１ｂ」と表示されるが、ファイルが属性を持たない場合、フラグは「０ｂ」と表示される。
【００６２】
単なる説明の目的上、例えば、図９Ａにおけるディレクトリ「７」、「９」及びファイル「１８」に対するファイルレコードを記録する方法について説明する。ディレクトリ「７」の場合、親ディレクトリまたはファイルはＢＤＭＶディレクトリ２であるので、親リンクは「ＰａｒｅｎｔＬｉｎｋ＝２」である。ディレクトリ「７」に対するファイルレコードタイプは原本ディレクトリであるので、ファイルレコードタイプは「ＦｉｌｅＲｅｃｏｒｄＴｙｐｅ＝１」となる。属性情報は、その設定が設計によって異なり、通常、隠し機能のないディレクトリであることを意味する「Ｈｉｄｄｅｎ＝０ｂ」と設定されることができる。
【００６３】
ディレクトリ「９」の場合、親リンクはＢＤＭＶディレクトリ２であるので、親リンクは「ＰａｒｅｎｔＬｉｎｋ＝２」である。ファイルレコードタイプはバックアップ用ディレクトリであるので、ファイルレコードタイプは「Ｆｉｌｅ Ｒｅｃｏｒｄ Ｔｙｐｅ＝３」である。属性情報は、その設定が設計によって異なり、通常、隠し機能を有するディレクトリを意味する「Ｈｉｄｄｅｎ＝１ｂ」に設定されることができる。
【００６４】
ファイル「１８」の場合、親リンクは「ＰＬＡＹＬＩＳＴ＿ＢＵＰ」ディレクトリ８であるので、親リンクは「ＰａｒｅｎｔＬｉｎｋ＝８」である。ファイルレコードタイプはバックアップファイルであるので、ファイルレコードタイプは「ＦｉｌｅＲｅｃｏｒｄＴｙｐｅ＝４」である。属性情報は、設定が設計によって異なり、通常、隠し機能を有するファイルを意味する「Ｈｉｄｄｅｎ＝１ｂ」に設定されることができる。
【００６５】
すなわち、上記のようにファイルテーブルを形成することによって、バックアップファイルが存在する全体ファイル構造が明確に表示されることができ、ファイルレコードタイプ（File Record Type）情報によって、該当ファイルが元ファイルなのかバックアップファイルなのかに対する識別が可能になり、属性情報の隠し機能を用いてユーザーが該当ファイルの存在有無を認識できなくすることによって、とりわけ、ユーザーがバックアップファイルにアクセスしてバックアップファイルを削除する等の問題を防止する。
【００６６】
図１０は、本発明の実施例による光記録再生装置を示す図である。図示のように、光記録再生装置は、光ディスクからデータ及びファイル情報を読み出すためのピックアップ部１１と、ピックアップ部１１の動作を制御するためのサーボ１４と、ピックアップ部１１から受信した再生信号を希望する信号値に復元したり、記録される信号を光ディスクに記録可能な信号に変調し、変調された信号をピックアップ部１１に伝達する信号処理部１３と、光ディスクから読み出されたファイル情報を一時格納するメモリ１５と、上記動作を制御するマイクロコンピュータ１６とを含む。これら構成要素を包括して「記録再生部２０」ともいう。
【００６７】
マイクロコンピュータ１６は、ファイル情報を読み出し、原本管理ファイル及びバックアップファイルを仕分ける。特定管理ファイルに欠陥がある場合、マイクロコンピュータ１６はファイル構造上欠陥のあるファイルのバックアップファイルを読み出し、ディスクの再生を管理するためにバックアップファイルを使用する。
【００６８】
図１０の装置は、制御部１２の制御によって信号処理部１３から出力データをデコーディングし、デコーディングされた信号をユーザーに提供するＡＶデコーダー１７をさらに含む。ＡＶエンコーダー１８は、光ディスクに信号を記録すべく、制御部１２の制御の下で入力信号を特定フォーマットの信号、例えばＭＰＥＧ２トランスポートストリームに変換して記録再生部内の信号処理部１３に提供する。
【００６９】
制御部１２は、全体光記録再生装置の動作を制御するための要素であり、ユーザーとのインターフェースを介してユーザーから受信した入力によって光記録再生装置を制御する役割を担う。制御部１２は、例えばユーザーの命令を記録再生部２０内のマイクロコンピュータ１６に伝達する。特に、制御部１２は、ＢＤ−ＲＯＭにおいてバックアップファイルの属性が 「Ｈｉｄｄｅｎ＝１ｂ」である場合、該当バックアップファイルにユーザーがアクセスできないように制御し、ＢＤ−ＲＥ／ＢＤ−ＷＯにおいてバックアップファイルの属性が 「Ｈｉｄｄｅｎ＝１ｂ」である場合、該当バックアップファイルにユーザーがアクセスできないように制御する。ユーザーが特定原本ファイルを削除しようとする場合には、該当バックアップファイルも一緒に削除されることによって、バックアップファイルのみ残される場合に生じうる再生エラーを未然に防止する。また、制御部１２は、ディスク上に本発明のファイル構造を記録するように装置を制御することができる。
【００７０】
ディスクの再生を管理する管理ファイルのバックアップファイルによって管理ファイルの安全性が改善されることによって、高密度記録媒体が效果的に再生可能になる。
【産業上の利用可能性】
【００７１】
本発明を上記の限られた数の実施例に関連して説明したが、本開示内容の長所を理解できる技術分野における当業者には、種々の変更と修正が可能であろう。例えば、上記の種々の例では、ブルーレイＲＯＭ光ディスクと関連して説明したが、本発明は、こうした規格の光ディスクや光ディスクに制限されない。したがって、このような変更と改造はいずれも本発明の要旨及び範囲に属するものとして解釈されるべきである。
【図面の簡単な説明】
【００７２】
【図１】本発明の例示的な実施例による高密度光記録媒体（例えば、ＢＤ−ＲＯＭ）においてデータを管理するためのファイルまたはデータ構造を示す図である。
【図２Ａ】本発明の例示的な実施例による高密度光記録媒体のフォーマットを示す図である。
【図２Ｂ】本発明の例示的な実施例による高密度光記録媒体のフォーマットを示す図である。
【図３】本発明の実施例によるバックアップファイルのデータ構造またはファイルを示す図である。
【図４】本発明の実施例によるバックアップファイルのデータ構造またはファイルを示す図である。
【図５】本発明の実施例によるバックアップファイルのデータ構造またはファイルを示す図である。
【図６】本発明の実施例によるバックアップファイルのデータ構造またはファイルを示す図である。
【図７】本発明の実施例によるバックアップファイルのデータ構造またはファイルを示す図である。
【図８】本発明の実施例によるバックアップファイルのデータ構造またはファイルを示す図である。
【図９Ａ】本発明のファイル構造の実施例をツリー形状で示す図である。
【図９Ｂ】図９Ａの例において光ディスク上に記録されるファイルシステム情報を示す図である。
【図１０】本発明の光記録再生装置の実施例を示す図である。
【図１】
2007529083.tif 000003
【図２Ａ】
2007529083.tif 000004
【図２Ｂ】
2007529083.tif 000005
【図３】
2007529083.tif 000006
【図４】
2007529083.tif 000007
【図５】
2007529083.tif 000008
【図６】
2007529083.tif 000009
【図７】
2007529083.tif 000010
【図８】
2007529083.tif 000011
【図９Ａ】
2007529083.tif 000012
【図９Ｂ】
2007529083.tif 000013
【図１０】
2007529083.tif 000014
【国際調査報告】
2007529083.tif 000015
2007529083.tif 000016